(57)【要約】【課題】蓋片の強度を確保し、ファイルの開放部を確実に且つ安定的に閉塞できるようにすると共に、蓋片による開放部の開閉作業を極めて容易に行うことができるファイルを提供する。【解決手段】弾性を有する合成樹脂シートから形成された表シート(1a)及び裏シート(1b)を有し、これら表裏シートの一辺(11)が連結され、この一辺に対向する側の表裏シートの他辺に開放部(10)が設けられ、表裏シート(1a)(1b)を重ね合わせた状態で開放部(10)を閉塞させる蓋片(13)が設けられているファイル(1)である。蓋片(13)は、裏シート(1b)における開放部(10)側の端縁の全域又は一部を表シート(1a)よりも長く延長させた延長片部(15)を表シート(1a)側へ折り返して構成されていると共に、延長片部(15)の先端部近傍をさらに延長片部(15)の外面側に折り返して折り返し部(14)を設けた。【選択図】図１
0003214344.tif 000002
【実用新案登録請求の範囲】
【請求項１】
弾性を有する合成樹脂シートから形成された表シート及び裏シートを有し、これら表裏シートの一辺が連結され、この一辺に対向する側の表裏シートの他辺が開放する開放部とされ、前記表裏シートを重ね合わせた状態で前記開放部を閉塞させる蓋片が設けられているファイルにおいて、
前記蓋片は、裏シートにおける開放部側の端縁の全域又は一部を表シートよりも長く延長させた延長片部を表シート側へ折り返して構成されていると共に、前記延長片部の先端部近傍をさらに延長片部の外面側に折り返してなる折り返し部が設けられているファイル。
【請求項２】
請求項１に記載のファイルにおいて、
前記表裏シートは、前記一辺に連なる両側辺において、前記一辺寄りの所定範囲を接合した接合部とし、この接合部から前記他辺までの範囲を表裏シートが大きく開口できるように非接合部とする袋状に形成され、
前記表シートの構成面は、前記両側辺の接合部間の領域部分と非接合部間の領域部分との境目に折り曲げ線を有さず、前記非接合部間の領域部分が外力により裏シートから離反する外方向へ反らせることができると共に外力が解除されると反り状態から元の平坦な状態へと弾性復帰する弾性力を発揮する連続平滑面となっているファイル。
【請求項３】
請求項１に記載のファイルにおいて、
前記表裏シートは、前記一辺を介して前記他辺側から略全体を見開き可能に形成されているファイル。
【請求項４】
請求項１から請求項３のいずれか１項に記載のファイルにおいて、
前記蓋片は、この蓋片が裏シートの内面側に付勢されるように前記延長片部の基端部が裏シートに溶着接合された第１溶着部が形成され、前記折り返し部が外面側から前記延長片部の外面に対して溶着接合された第２溶着部が形成されているファイル。
【請求項５】
請求項４に記載のファイルにおいて、
前記第２溶着部は、前記蓋片の中央よりも先端寄りに設けられているファイル。
【考案の詳細な説明】
【技術分野】
【０００１】
本考案は、書類等を収容するファイル、特に、開放部を閉塞させる蓋付きのファイルに関する。
【背景技術】
【０００２】
例えば、各種書類や小物等を同時に収容できる一方開放の袋状のファイルであって、開放部を蓋片で閉塞させることにより、収容物の落下を防止するものが特許文献１に開示されている。この特許文献１に開示のものでは、図７に示すように、一枚の合成樹脂シートを二つ折りにし、その折り曲げ部を底辺(31)とすると共に、この底辺(31)の両端に連続する両側辺(32)を上端から所定範囲を残して溶着することにより、底辺(31)と両側辺(32)が連結された表シート(3a)と裏シート(3b)からなり、底辺(31)に対向する側に開放部(30)が形成された袋状のファイル(3)が構成されている。
【０００３】
裏シート(3b)は、表シート(3a)よりも開放部(30)側へ長く延長しており、この延長部分を、折り曲げ線(3c)に沿って、表シート(3a)の表面に重なるように折り曲げることにより、開放部(30)を閉塞する蓋片(33)として機能させている。
蓋片(33)には、折り曲げ線(3d)を介して舌片(34)が突設されており、蓋片(33)でファイル(3)の開放部(30)を閉塞させたとき、舌片(34)に対応する表シート(3a)の上部中央には、舌片(34)を、表面側から上向きに差し込んで係止させるスリット(35)が形成されている。表シート(3a)には、両側辺(32)の溶着部の上端相互を結ぶように、折り曲げ線(3e)が形成されており、表シート(3a)のうち、折り曲げ線(3e)よりも上部域(36)は、折り曲げ線(3e)に沿って、ファイル(3)の外側に折り曲げることができるから、開放部(30)を大きく開くことができる。これにより、開放部(30)から、書類等の被収容物をファイル(3)内に収容し易い。
被収容物を収容した後、蓋片(33)を表シート(3a)の上部域(36)の表面に重ね合わせ、舌片(34)をスリット(35)に差し込んで係止させておけば、開放部(30)は蓋片(33)で確実に閉塞された状態となり、ファイル(3)内の開放部(30)からの被収容物の落下を防止している。
【先行技術文献】
【特許文献】
【０００４】
【特許文献１】特開平８−６７０８６号公報
【考案の概要】
【考案が解決しようとする課題】
【０００５】
しかしながら、上記した従来のファイル(3)では、表シート(3a)の上部域(36)は、折り曲げ線(3e)で外側に折り曲げられることにより、裏シート(3b)から離反する方向に開く癖が付いている。よって、ファイル(3)の開放部(30)を蓋片(33)で閉塞させる際には、開いた状態の上部域(36)を裏シート(3b)側へ押さえ付けながら、その表面に、蓋片(33)を被覆させなければならず、その作業がやり難い。また、被覆させた後も、表シート(3a)の上部域(36)は、折り曲げ線(3e)による開き癖により、折り曲げ線(3e)を基端辺として裏シート(3b)から離反する方向に浮き上がろうとするため、開放部(30)をぴったりと閉塞させることができない。そのため、蓋片(33)で開放部(30)を閉塞した後、舌片(34)をスリット(35)に差し込んで係止させることで、開放部(30)が容易に開放してしまう不都合を防止しているが、舌片(34)をスリット(35)に、下から上へ向かって差し込む係止作業がやり難い上に、スリット(35)から舌片(34)を取り外す作業もやり難く、ファイル(3)の開閉作業に手間取ってしまうという問題がある。
【０００６】
本考案は、このような蓋付きのファイルの問題点に着目して考案されたものであり、その目的は、舌片やスリットを設けずに蓋片の強度を確保し、ファイルの開放部を確実に且つ安定的に閉塞できるようにすると共に、蓋片による開放部の開閉作業を極めて容易に行うことができるファイルを提供することを課題とする。
【課題を解決するための手段】
【０００７】
本考案に係るファイルは、
弾性を有する合成樹脂シートから形成された表シート及び裏シートを有し、これら表裏シートの一辺が連結され、この一辺に対向する側の表裏シートの他辺が開放する開放部とされ、前記表裏シートを重ね合わせた状態で前記開放部を閉塞させる蓋片が設けられているファイルにおいて、
前記蓋片は、裏シートにおける開放部側の端縁の全域又は一部を表シートよりも長く延長させた延長片部を表シート側へ折り返して構成されていると共に、前記延長片部の先端部近傍をさらに延長片部の外面側に折り返してなる折り返し部が設けられている。
【０００８】
上記構成により、蓋片には、延長片部の先端部近傍を折り返してなる折り返し部を具備させているから、折り返し部の形成域は二重構造となり、蓋片自体の弾性も相俟って、１枚のシートからなる表裏シートに比べて蓋片の腰は強くなる。よって、蓋片で、表シートの開放部側の端縁を確実に押さえ込んで、開放部を閉塞させることができ、表シートの開放部側の端縁が不用意に浮き上がることがない。このように、開放部は蓋片によって確実に且つ安定的に閉塞されるから、書類等の収容物が多くても、また、開放部を下に向けても、開放部が不用意に開放して収容物が落下する不都合を防止することができる。
また、折り返し部を、延長片部の外面側に設ける構成としたから、蓋片の外面側には、折り返し部の先端部による段差が形成されるが、蓋片の内面側には、何ら段差は形成されず平滑面のままである。よって、開放部を開口させるとき、表シートの開放部側の端縁が蓋片の内面に引っ掛かることなくスムーズに摺動させて、表シートを裏シートから離反させることができるから、開放部を開く作業が容易となる。
また、前記折り返し部を、両端に開放する中空状に設けておけば、前記折り返し部内に見出し片を挿入させることができ、折り返し部を、見出し片挿入部として利用することも可能となる。
【０００９】
前記ファイルにおいて、
前記表裏シートは、前記一辺に連なる両側辺において、前記一辺寄りの所定範囲を接合した接合部とし、この接合部から前記他辺までの範囲を表裏シートが大きく開口できるように非接合部とする袋状に形成され、
前記表シートの構成面は、前記両側辺の接合部間の領域部分と非接合部間の領域部分との境目に折り曲げ線を有さず、前記非接合部間の領域部分が外力により裏シートから離反する外方向へ反らせることができると共に外力が解除されると反り状態から元の平坦な状態へと弾性復帰する弾性力を発揮する連続平滑面となっているファイルを構成することができる。
このものでは、前記両側辺のうち、開放部側の所定範囲を非接合部とするので、開放部はこの非接合部をも含む範囲となり、表シートを、手で裏シートから強制的に離反させれば、開放部を簡単に大きく開くことができ、書類等の収納作業を容易に行うことができる。
また、表シートの構成面は、余計な折り曲げ線を有さず弾性復帰する弾性力を発揮する連続平滑面となっているので、裏シートから離反させた反り状態の表シートから手を離せば、表シートはその弾性復帰力を利用して反り状態から平坦な状態に弾性復帰し、表裏シートの開放部側の端縁相互が近接する元の状態に復帰する。従って、表シートが裏シートから離反する方向に浮き上がることなく開放部をぴったりと閉塞させることができる。この状態で、裏シートから延設させた蓋片を、表シートの開放部側の端縁近傍域に表面側から被せることにより、開放部の閉塞を強固に維持させることができる。
【００１０】
また、前記ファイルにおいて、
前記表裏シートは、前記一辺を介して前記他辺側から略全体を見開き可能に形成されているファイルを構成することができ、この形態のファイルでも、表シートをめくって簡単に見開くことができると共に、蓋片により表裏シートの開放部を確実に押さえ込んで閉じた状態にさせることができ、表シートの開放部側の端縁が不用意に浮き上がることが防止される。
【００１１】
前記ファイルにおいて、
前記蓋片は、この蓋片が裏シートの内面側に付勢されるように前記延長片部の基端部が裏シートに溶着接合された第１溶着部が形成され、前記折り返し部が外面側から前記延長片部の外面に対して溶着接合された第２溶着部が形成されていることが好ましく、蓋片をめくりあげたときの腰が一層強くなり、表シートの開放部側の端縁を確実に押さえ込んで開放部を安定的に閉塞させることができる。
この場合、前記第２溶着部が、前記蓋片の中央よりも先端寄りに設けられていれば、蓋片の強度はさらに増し、開放部をより安定的に閉塞させることができる。
【考案の効果】
【００１２】
以上のように、本考案に係るファイルによれば、舌片及びスリットのような特別な係止手段を設ける必要がなく、ファイルの開放部を確実に且つ安定的に閉塞でき、蓋片による開放部の開閉作業を極めて容易に行うことができるファイルが得られる。
【図面の簡単な説明】
【００１３】
【図１】本考案の実施の形態によるファイルの一部切欠正面図である。
【図２】本考案の実施の形態によるファイルの展開図である。
【図３】本考案の実施の形態によるファイルの部分断面図であり、(A)は、図１のＡ−Ａ断面図であり、（B)は、Ｂ−Ｂ断面図であり、（C）はＣ−Ｃ断面図である。
【図４】本考案の実施の形態によるファイルの開放部を開放させた状態を示す縦断面図である。
【図５】本考案の実施の形態によるファイルの他の例を示す正面図である。
【図６】本考案の実施の形態によるファイルのさらに他の例を示す正面図である。
【図７】従来のファイルの開放部を開放させた状態を示す斜視図である。
【考案を実施するための形態】
【００１４】
以下に、本考案の実施の形態について説明する。
本考案の実施の形態に係るファイル(1)は、図１に示すように、横長の矩形袋状のファイルであり、上方の長辺側に開放部(10)が形成されていると共に、例えばＡ４用紙をクリアファイルごと収容可能な大きさに設定されている。また、開放部(10)を開閉自在な蓋片(13)を具備させている。上記ファイル(1)は、図２の展開図に示すように、１枚の合成樹脂シートを折り曲げて形成されており、前記合成樹脂シートとしては手で曲げて反り返らせても手の力を解除させると弾性復帰する弾性力が発揮されるものが使用され、この実施の形態では、厚さ０．３ｍｍのポリプロピレン樹脂シートを採用している。
【００１５】
ファイル(1)を構成する表シート(1a)と裏シート(1b)は、下方の長辺相互が、底辺部(11)を介して連結された構成となっており、表シート(1a)の両側辺のうち、底辺部(11)寄りの所定範囲には、側辺部(12)が各々張り出していると共に、裏シート(1b)のうち、開放部(10)側の長辺からは、折り曲げ線(23)を介して延長片部(15)が延設されている。
【００１６】
底辺部(11)及び側辺部(12)には、それぞれ、３本の平行な折り曲げ線(21a)〜(21c)、(22a)〜(22c)が形成されており、底辺部(11)では、表シート(1a)との境界線上に位置する折り曲げ線(21a)と、裏シート(1b)との境界線上に位置する折り曲げ線(21b)を谷折りにし、その間に位置する折り曲げ線(21c)を山折りとすることで、図３の(A)に示すような断面Ｗ字状のマチが形成される。同様に、側辺部(12)も、図３の(B)に示すように、表シート(1a)との境界線上に位置する折り曲げ線(22a)を谷折りに、それに並列する中央の折り曲げ線(22c)を山折りに、さらにそれに並列する折り曲げ線(22b)を谷折りにすることで、断面Ｗ字状のマチが形成される。なお、側辺部(12)では、折り曲げ線(22b)よりも側方に位置する帯状片部(12a)を、裏シート(1b)の外面に溶着により接合させて接合部(25)を形成している。
【００１７】
側辺部(12)は、上記したように、裏シート(1b)の底辺部(11)寄りに帯状片部(12a)を溶着させているから、この溶着による接合部(25)より上方域は、開放部(10)に連続する非接合部(26)となっている。よって、このファイル(1)では、接合部(25)の上方域全体を大きく開口させることができる。
【００１８】
表シート(1a)の構成面は、両側辺(12)の接合部(25)間の領域部分と非接合部(26)間の領域部分との境目には、図７に示した従来のような折り曲げ線(3e)を有さず、非接合部(26)間の領域部分が外力により裏シート(1b)から離反する外方向へ反らせることができると共に外力が解除されると反り状態から元の平坦な状態へと弾性復帰する弾性力を発揮する連続平滑面となっている。
【００１９】
また、裏シート(1b)から延長させた延長片部(15)は、図３の(C)に示すように、折り曲げ線(23)を、裏シート(1b)の内面側（表シート(1a)側）に谷折りすると共に、折り曲げ線(24)を外面側に山折りすることにより、先端部側に折り返し部(14)が設けられた蓋片(13)が形成される。折り曲げ線(23)で二つ折りにされた延長片部(15)は、外面側（図１に示す正面側）から、折り曲げ線(23)に沿って溶着により裏シート(1b)に接合させており、折り返し部(14)の端縁(14a)は、同じく外面側から溶着により蓋片(13)（延長片部(15)の外面）に接合させている。なお、折り曲げ線(23)に沿った接合部を第１溶着部(2)とし、折り返し部(14)の端縁(14a)に沿った接合部を第２溶着部(20)とする。
【００２０】
このものでは、折り曲げ線(23)で、表シート(1a)側に折り曲げられた延長片部(15)のうち、第１溶着部(2)から折り曲げ線(24)に至る範囲が蓋片(13)として機能すると共に、折り曲げ線(24)から第２溶着部(20)に至る範囲が、合成樹脂シートの二重構造である折り返し部(14)となる。なお、折り返し部(14)は、折り曲げ線(24)で二つ折りにされて、第２溶着部(20)で接合された構造であるから、両側方に開放すると共に、折り曲げ線(24)と第２溶着部(20)との間は中空となっている。よって、例えば、折り返し部(14)の中空部内に見出し片を挿入させれば、折り返し部(14)を、見出し片挿入部として利用することができる。なお、第１溶着部(2)と第２溶着部(20)との間の折り返し部(14)の表面領域に帯状の見出し用紙を貼り付けて見出し部を形成することもできる。
【００２１】
また、蓋片(13)は、第１溶着部(2)で裏シート(1b)に接合されているから、蓋片(13)は、裏シート(1b)の内面側に強く付勢されて常時裏シート(1b)に重なって位置することとなり、不用意に開くことはない。この蓋片(13)と裏シート(1b)との間に、表シート(1a)の開放部(10)側の端縁(1c)とその近傍域を差し込むと、図３の(C)に示すように、蓋片(13)は、その付勢力によって、表シート(1a)を表面側から押圧する態様となり、ファイル(1)は閉塞状態に強固に維持される。
【００２２】
なお、蓋片(13)の先端部側に折り返し部(14)を設けることで二重構造としているから、蓋片(13)の先端部側の強度が増すと同時に、表シート(1a)の開放部(10)側の端縁(1c)に対する押さえの腰が強くなり、ファイル(1)の開放部(10)を確実に且つ安定的に閉塞することが可能となる。また、折り返し部(14)は、蓋片(13)の外面側に折り返されて溶着させることで、蓋片(13)の外面側には、折り返し部(14)の端縁(14a)に沿って、合成樹脂シートの厚み分の段差(S)が形成されることとなる（図３の(C）参照)。
【００２３】
ファイル(1)の開放部(10)を開放させるには、図４に示すように、第１溶着部(2)を基端辺として、蓋片(13)の先端部を強制的に手前にめくりあげることにより、蓋片(13)を、表シート(1a)から弾性的に離反させることができ、表シート(1a)の開放部(10)側の端縁(1c)を蓋片(13)による押圧から解除することができる。これで、表シート(1a)の非接合部(26)の領域部分を手で引っ張って外向きに反らせるように裏シート(1b)から離反させることができるが、このとき、表シート(1a)の開放部(10)側の端縁(1c)が、蓋片(13)の内面を摺動しながら、裏シート(1b)から離反されていく。蓋片(13)の内面には、上記した段差(S)のような障害物は何ら形成されていないから、表シート(1a)の開放部(10)側の端縁(1c)は、蓋片(13)の内面にスムーズに摺動しながら、開放部(10)を開放させることができる。
【００２４】
上記要領にて、開放部(10)を開放させて、ファイル(1)内に、書類等の収容物を収容した後は、表シート(1a)を裏シート(1b)から離反する方向に引っ張っている手を離せば、表裏シート(1a)(1b)は相互に近接する方向に弾性復帰する。すなわち、表シート(1a)の構成面は、従来のような余計な折り曲げ線(3e)を有さず、弾性復帰する弾性力を発揮する連続平滑面となっているので、裏シート(1b)から離反させた反り状態の表シート(1a)から手を離せば、表シート(1a)はその弾性復帰力を利用して反り状態から平坦な状態に弾性復帰し、表裏シート(1a)(1b)の開放部(10)側の端縁相互が近接する元の状態に復帰する。従って、表シート(1a)が裏シート(1b)から離反する方向に浮き上がることなく、開放部(10)をぴったりと閉塞させることができる。その後、表シート(1a)の開放部(10)側の端縁(1c)を含むその近傍域を、蓋片(13)の付勢力で挟圧させれば、ファイル(1)の開放部(10)は、蓋片(13)で確実に且つ安定した状態で閉塞されることとなる。よって、書類収納量が増大しても、また、開放部(10)が下方となるようにファイル(1)を支持しても、開放部(10)から収容物が不用意に落下することはない。
【００２５】
この実施の形態のファイル(1)は、１枚の合成樹脂シートを折り曲げて構成されている上に、蓋片(13)の先端部に折り返し部(14)を設けて蓋片(13)の腰を強くすることで、従来例の舌片(34)やそれを差し込んで係止させるスリット(35)のような係止手段を設ける必要がないから、構造が極めて簡易であり、溶着箇所も少なくて済むことから製造が容易であり、製造コストも抑えることが可能となる。また、従来の舌片(34)及びスリット(35)からなる係止手段を係止させる作業も不要であるから、蓋片(13)によるファイル(1)の開放部(10)の開閉作業が容易となる。
【００２６】
上記実施の形態では、横長の矩形袋状のファイル(1)を採用したが、図５に示すように、縦長のファイル(100)にも実施することができると共に、さらに、図６に示すように、見開きファイル(110)に実施しても良い。図５に示す縦長ファイル(100)の場合、一方の短辺に沿って、開放部を設けると共に、前記開放部を閉塞するように、上記実施の形態で採用した蓋片(13)と同様な構造の蓋片(130)を前記短辺に沿って設けておけばよい。
【００２７】
また、図６に示す見開きファイル(110)では、折り曲げ線(18)を介して左右に隣接する一対の矩形状シートからなる表シート(111)と裏シート(112)からなるもので、これら表シート(111)と裏シート(112)の内面に、それぞれ、書類挟み用のポケット(16)(17)が設けられていると共に、裏シート(112)の内面側の一側辺に、上記各実施の形態で採用した蓋片(13)と同様な構造の蓋片(131)を設けておけば良い。このものでは、表シート(111)と裏シート(112)の内面相互が重なるように、折り曲げ線(18)を谷折りすると共に、蓋片(131)で、表シート(111)の一側辺(19)を外面側から押さえることにより、見開きファイル(110)は、表シート(111)と裏シート(112)で構成する表紙が不用意に開放することはなく、ポケット(16)(17)に収容した書類(4)が脱落する不都合を防止することができる。また、蓋片(131)の下に用紙を差し込んで蓋片(131)で用紙をクリップのように挟圧させて保持することもできる。
【００２８】
また、上記各実施の形態では、蓋片は、開放部側の端縁の略全域から延長させる構成としたが、前記端縁の一部分にのみ設ける構成としても良く、また、前記端縁に沿って複数設ける構成でも良い。
なお、表裏シートは、１枚ずつ別個の合成樹脂シートとし、その底辺及び両側辺を接合させることにより袋状としても良いが、１枚の合成樹脂シートを二つ折りにし、その折り曲げ部を底辺とすると共に両側辺を接合させて袋状に構成する方が、加工性が良く、接合個所も少なくて済むのでより好ましい。
【符号の説明】
【００２９】
(1) ・・・・・ファイル
(2)・・・・・第１溶着部
(1a)・・・・・表シート
(1b)・・・・・裏シート
(10)・・・・・開放部
(11)・・・・・底辺部（一辺）
(12)・・・・・側辺部
(13)・・・・・蓋片
(14)・・・・・折り返し部
(15)・・・・・延長片部
(20)・・・・・第２溶着部
(25)・・・・・接合部
(26)・・・・・非接合部
【図１】
0003214344.tif 000003
【図２】
0003214344.tif 000004
【図３】
0003214344.tif 000005
【図４】
0003214344.tif 000006
【図５】
0003214344.tif 000007
【図６】
0003214344.tif 000008
【図７】
0003214344.tif 000009